(57)【要約】【課題】抗がん剤等の毒性の高い薬剤を含有した尿を吸収し、尿中の薬剤を吸着して患者、医療従事者、病院関係者等の病院内における二次曝露対策に効果的な抗がん剤含有尿吸着シート体を提供する。【解決手段】抗がん剤の薬剤分子を含有する薬剤含有尿を吸収する薬剤含有尿吸収層部１０ａ、薬剤含有尿吸収層部の第１面１８側に配され薬剤含有尿を透過させる薬剤含有尿透過部２０、薬剤含有尿吸収層部の第２面１９側に配され薬剤含有尿の漏洩を防ぐ透過防止部３０を積層して備えた尿吸収シート体１Ｓであり、尿吸収シート体は便器の周囲に配置され、薬剤含有尿吸収層部は、吸着活性炭を含有する活性炭含有シート状部材１１と、繊維状吸尿シート部材１２を備えているとともに、吸着活性炭は平均細孔直径を１．７〜５ｎｍとする物性を有し、薬剤含有尿透過部は樹脂繊維の布状部材であり、透過防止部は樹脂製シート部材である。【選択図】図１
2018126316.tif 000002
【特許請求の範囲】
【請求項１】
抗がん剤の薬剤分子を含有する薬剤含有尿を吸収する薬剤含有尿吸収層部と、
前記薬剤含有尿吸収層部の第１面側に配され薬剤含有尿を前記薬剤含有尿吸収層部側へ透過させる薬剤含有尿透過部と、
前記薬剤含有尿吸収層部の第２面側に配され前記薬剤含有尿吸収層部側からの薬剤含有尿の漏洩を防ぐ透過防止部とを積層して備えた尿吸収シート体であり、
前記尿吸収シート体は便器の周囲に配置され、
前記薬剤含有尿吸収層部は、吸着活性炭を含有する活性炭含有シート状部材と、繊維状吸尿シート部材とを備えているとともに、前記吸着活性炭は平均細孔直径を１．７〜５ｎｍとする物性を有し、
前記薬剤含有尿透過部は樹脂繊維の布状部材であり、
前記透過防止部は樹脂製シート部材である
ことを特徴とする抗がん剤含有尿吸着シート体。
【請求項２】
前記活性炭含有シート状部材が前記薬剤含有尿吸収層部の第１面側に配され、前記繊維状吸尿シート部材が前記薬剤含有尿吸収層部の第２面側に配されている請求項１に記載の抗がん剤含有尿吸着シート体。
【請求項３】
抗がん剤の薬剤分子を含有する薬剤含有尿を吸収する薬剤含有尿吸収層部と、
前記薬剤含有尿吸収層部の第１面側に配され薬剤含有尿を前記薬剤含有尿吸収層部側へ透過させる薬剤含有尿透過部と、
前記薬剤含有尿吸収層部の第２面側に配され前記薬剤含有尿吸収層部側からの薬剤含有尿の漏洩を防ぐ透過防止部とを積層して備えた尿吸収シート体であり、
前記尿吸収シート体は便器の周囲に配置され、
前記薬剤含有尿吸収層部は、吸着活性炭を含有する活性炭含有シート状部材と、水膨潤性樹脂部材と、繊維状吸尿シート部材とを備えているとともに、前記吸着活性炭は平均細孔直径を１．７〜５ｎｍとする物性を有し、
前記薬剤含有尿透過部は樹脂繊維の布状部材であり、
前記透過防止部は樹脂製シート部材である
ことを特徴とする抗がん剤含有尿吸着シート体。
【請求項４】
前記活性炭含有シート状部材が前記薬剤含有尿吸収層部の第１面側に配され、前記繊維状吸尿シート部材が前記薬剤含有尿吸収層部の第２面側に配されているとともに、前記水膨潤性樹脂部材が前記活性炭含有シート状部材と前記繊維状吸尿シート部材の間に備えられている請求項３に記載の抗がん剤含有尿吸着シート体。
【請求項５】
前記薬剤分子が不揮発性の分子である請求項１ないし４のいずれか１項に記載の抗がん剤含有尿吸着シート体。
【請求項６】
前記薬剤分子の分子量が１００ないし１０００である請求項１ないし５のいずれか１項に記載の抗がん剤含有尿吸着シート体。
【請求項７】
前記吸着活性炭が、さらに、ＤＨプロット法による測定において当該吸着活性炭の単位重量当たりの細孔直径１〜１００ｎｍの細孔の細孔容積を０．０８ｃｍ3／ｇ以上とする物性を有する請求項１ないし６のいずれか１項に記載の抗がん剤含有尿吸着シート体。
【請求項８】
前記薬剤含有尿透過部が、ＪＩＳ  Ｌ  １９１３（２０１０）に準拠した保水率の試験において、５００％以下の保水率である請求項１ないし７のいずれか１項に記載の抗がん剤含有尿吸着シート体。
【請求項９】
前記薬剤含有尿透過部が合成樹脂繊維の不織布である請求項１ないし８のいずれか１項に記載の抗がん剤含有尿吸着シート体。
【請求項１０】
前記繊維状吸尿シート部材の目付量が１０ｇ／ｍ2以上である請求項１ないし９のいずれか１項に記載の抗がん剤含有尿吸着シート体。
【請求項１１】
前記透過防止部の裏面に滑り止め部が備えられている請求項１ないし１０のいずれか１項に記載の抗がん剤含有尿吸着シート体。
【請求項１２】
前記尿吸収シート体における、前記薬剤含有尿透過部と、前記薬剤含有尿吸収層部と、前記透過防止部とを積層した際の厚さが、０．３〜５ｍｍである請求項１ないし１１のいずれか１項に記載の抗がん剤含有尿吸着シート体。
【請求項１３】
前記繊維状吸尿シート部材が、セルロース成分から形成されている請求項１ないし１２のいずれか１項に記載の抗がん剤含有尿吸着シート体。
【発明の詳細な説明】
【技術分野】
【０００１】
本発明は抗がん剤含有尿吸着シート体に関し、特に便器周囲に飛散した尿中に含まれる抗がん剤を吸着する抗がん剤含有尿吸着シート体に関する。
【背景技術】
【０００２】
抗がん剤は、がん細胞の増殖を抑制し最終的には、その増殖を抑制または死滅させる製剤である。その作用機序は、対象となるがん細胞に浸入し同細胞のＤＮＡの複製や合成の阻害、微小管形成の阻害（細胞分裂阻害）、細胞内代謝の阻害または栄養供給血流の制御等を引き起こす。それゆえ、抗がん剤はがん化した細胞に作用してアポトーシス等の細胞死を引き起こす反面、通常細胞に対しても高い毒性を持つ。このため、抗がん剤の取り扱いには慎重さを要する。
【０００３】
現在、各種のがんに対して対応するべく、抗がん剤を使用した化学療法が多く取り入れられている。抗がん剤治療において、抗がん剤については患者個別の用量が医師により決定され、その処方箋に基づき薬剤師により点滴用容器（輸液バッグ）等に分注される。この抗がん剤調製の作業をさらに詳しく見ると、注射針、薬品びん、点滴液等から飛散した抗がん剤の飛沫、エアロゾルが薬剤師等の皮膚に付着すること、またこれらを呼吸器から吸入する一次被曝がある。また、飛散した抗がん剤の液滴に接触した薬剤袋やびん等を介して薬剤師等の皮膚に付着する二次被曝がある。特に、抗がん剤の調製は専門の薬剤師により行われる。そのため、薬剤師や看護師等の医療従事者自身の職業的な抗がん剤被曝の危険性が指摘されている。特に、長期間の作業従事により、医療従事者自身の流産、白血病、膀胱がん等の報告がある。従って、医療従事者の抗がん剤による曝露対策は非常に重要である。
【０００４】
現状の抗がん剤調製作業においては、防水性のエプロン、二重にした手袋、活性炭入りマスクが着用される。抗がん剤調製作業は調製時に発生するエアロゾルを外部に流出させない生物学的安全キャビネット、閉鎖式調製器具等の薬剤飛散を低減する環境下で行われる。しかしながら、実際のところ環境的汚染は完全には防ぎきれていない。抗がん剤調製作業は、例えば、実習キットの発明等により開示されており、同実習キットを用いて訓練が行われる（特許文献１参照）。この場合、安全キャビネットの作業台上に吸液シートが敷かれる。
【０００５】
通常、抗がん剤の調製作業中に飛散した抗がん剤飛沫は作業環境下に敷かれる作業シートに吸着され、作業環境下での二次拡散が抑制されるものと思われる。しかし、現状のガイドラインにおいても、作業シートについては、「表面が吸水性素材で裏面が薬剤不透過素材である。」と指定されているに過ぎない。つまり、現状の作業シートは抗がん剤調製専用に開発されたシートではない。従って、使用されている吸液シートは、手術関連の滅菌ドレープ、血液、体液、または排泄物等の吸収を目的としたパルプ製のシートを代用しているのが実際である。それゆえ、既存の作業シートにおいては必ずしも抗がん剤の吸着は十分ではない。
【０００６】
また、既存の吸液シートの技術として次の構造が知られている。例えば、高吸水性材料の両面に紙が貼られ、さらにその紙の上に不織布が貼られた積層シートである（特許文献２参照）。または、２枚のパルプシートの間に活性炭含有シートが備えられて積層化した積層シートである（特許文献３参照）。既存の吸液シートの場合、吸水（吸液）性能の改善は主に吸液量の向上と同視されている。しかしながら、抗がん剤調製作業が念頭に置かれた場合、抗がん剤等の薬物を含有する溶液が適切に浸透され、吸着され、最終的に保持されるといったより高度な性能が要求される。それゆえ自明ながら、既存の吸液シートでは、高度な安全性追及の性能面は依然として十分とはいえない。
【０００７】
前述の抗がん剤の調製作業時における薬剤による曝露問題と並行して、抗がん剤治療中の患者の尿中に含有される抗がん剤成分による曝露も問題視されている。点滴、経口投与等により患者の体内に取り込まれた抗がん剤のうち、余剰の抗がん剤の薬剤分子は尿に混入して体外に排泄される。つまり、患者の尿中に抗がん剤が含まれており、排泄された尿が二次拡散の原因となる。
【０００８】
具体的には、便器に向けて排泄された尿は便器表面に衝突して便器外の周囲に飛散することから、小便器（主に男性用の小便器）の周りが顕著である。すると、他の患者、医療従事者等は抗がん剤を含有する尿と接触する機会が多い。また、便器及びその周辺の清掃の従事者は清掃作業を通じて抗がん剤を含有する尿と恒常的に接触する。そこで、化学療法病棟の清掃作業者は、便器とその周囲の清掃に際し、手袋、マスク、防護眼鏡、エプロンを着用しなければならない。しかしながら、便器周辺に飛散した尿中に含有される抗がん剤の二次拡散の抑制は十分ではない。
【０００９】
一連の経緯から、安全キャビネット内における医療従事者の抗がん剤による曝露対策に加えて、病院内または病棟環境における抗がん剤等の毒性の高い薬剤を含有した尿の吸収を通じて薬剤吸着に特化したより高性能の尿吸着シート体が希求されている。
【先行技術文献】
【特許文献】
【００１０】
【特許文献１】特許第５０６２６８５号公報
【特許文献２】特許第２８６２２７４号公報
【特許文献３】特許第４３０１６３３号公報
【発明の概要】
【発明が解決しようとする課題】
【００１１】
その後、発明者らは、吸液シートにおける抗がん剤等の毒性の高い薬剤の吸着性能及び保持性能を向上させるべく、吸液シート使用される材料を鋭意検討し続けた。結果、飛散した尿の浸透性能を高め、その尿中に含有される薬剤成分を内部に選択的に吸着して、薬剤成分の外部拡散対策に効果的な抗がん剤含有尿吸着シート体を開発するに至った。
【００１２】
本発明は、前記の点に鑑みなされたものであり、抗がん剤等の毒性の高い薬剤を含有した尿を吸収するとともに、その尿中に含有される薬剤を吸着して患者、医療従事者、病院関係者等の安全性を向上した病院内の二次曝露対策に効果的な抗がん剤含有尿吸着シート体を提供する。
【課題を解決するための手段】
【００１３】
すなわち、第１の発明は、抗がん剤の薬剤分子を含有する薬剤含有尿を吸収する薬剤含有尿吸収層部と、前記薬剤含有尿吸収層部の第１面側に配され薬剤含有尿を前記薬剤含有尿吸収層部側へ透過させる薬剤含有尿透過部と、前記薬剤含有尿吸収層部の第２面側に配され前記薬剤含有尿吸収層部側からの薬剤含有尿の漏洩を防ぐ透過防止部とを積層して備えた尿吸収シート体であり、前記尿吸収シート体は便器の周囲に配置され、前記薬剤含有尿吸収層部は、吸着活性炭を含有する活性炭含有シート状部材と、繊維状吸尿シート部材とを備えているとともに、前記吸着活性炭は平均細孔直径を１．７〜５ｎｍとする物性を有し、前記薬剤含有尿透過部は樹脂繊維の布状部材であり、前記透過防止部は樹脂製シート部材であることを特徴とする抗がん剤含有尿吸着シート体に係る。
【００１４】
第２の発明は、前記活性炭含有シート状部材が前記薬剤含有尿吸収層部の第１面側に配され、前記繊維状吸尿シート部材が前記薬剤含有尿吸収層部の第２面側に配されている第１の発明に記載の抗がん剤含有尿吸着シート体に係る。
【００１５】
第３の発明は、抗がん剤の薬剤分子を含有する薬剤含有尿を吸収する薬剤含有尿吸収層部と、前記薬剤含有尿吸収層部の第１面側に配され薬剤含有尿を前記薬剤含有尿吸収層部側へ透過させる薬剤含有尿透過部と、前記薬剤含有尿吸収層部の第２面側に配され前記薬剤含有尿吸収層部側からの薬剤含有尿の漏洩を防ぐ透過防止部とを積層して備えた尿吸収シート体であり、前記尿吸収シート体は便器の周囲に配置され、前記薬剤含有尿吸収層部は、吸着活性炭を含有する活性炭含有シート状部材と、水膨潤性樹脂部材と、繊維状吸尿シート部材とを備えているとともに、前記吸着活性炭は平均細孔直径を１．７〜５ｎｍとする物性を有し、前記薬剤含有尿透過部は樹脂繊維の布状部材であり、前記透過防止部は樹脂製シート部材であることを特徴とする抗がん剤含有尿吸着シート体に係る。
【００１６】
第４の発明は、前記活性炭含有シート状部材が前記薬剤含有尿吸収層部の第１面側に配され、前記繊維状吸尿シート部材が前記薬剤含有尿吸収層部の第２面側に配されているとともに、前記水膨潤性樹脂部材が前記活性炭含有シート状部材と前記繊維状吸尿シート部材の間に備えられている第３の発明に記載の抗がん剤含有尿吸着シート体に係る。
【００１７】
第５の発明は、前記薬剤分子が不揮発性の分子である第１ないし第４のいずれかの発明に記載の抗がん剤含有尿吸着シート体に係る。
【００１８】
第６の発明は、前記薬剤分子の分子量が１００ないし１０００である第１ないし第５のいずれかの発明に記載の抗がん剤含有尿吸着シート体に係る。
【００１９】
第７の発明は、前記吸着活性炭が、さらに、ＤＨプロット法による測定において当該吸着活性炭の単位重量当たりの細孔直径１〜１００ｎｍの細孔の細孔容積を０．０８ｃｍ3／ｇ以上とする物性を有する第１ないし第６のいずれかの発明に記載の抗がん剤含有尿吸着シート体に係る。
【００２０】
第８の発明は、前記薬剤含有尿透過部が、ＪＩＳ  Ｌ  １９１３（２０１０）に準拠した保水率の試験において、５００％以下の保水率である第１ないし第７のいずれかの発明に記載の抗がん剤含有尿吸着シート体に係る。
【００２１】
第９の発明は、前記薬剤含有尿透過部が合成樹脂繊維の不織布である第１ないし第８のいずれかの発明に記載の抗がん剤含有尿吸着シート体に係る。
【００２２】
第１０の発明は、前記繊維状吸尿シート部材の目付量が１０ｇ／ｍ2以上である第１ないし第９のいずれかの発明に記載の抗がん剤含有尿吸着シート体に係る。
【００２３】
第１１の発明は、前記透過防止部の裏面に滑り止め部が備えられている第１ないし第１０のいずれかの発明に記載の抗がん剤含有尿吸着シート体に係る。
【００２４】
第１２の発明は、前記尿吸収シート体における、前記薬剤含有尿透過部と、前記薬剤含有尿吸収層部と、前記透過防止部とを積層した際の厚さが、０．３〜５ｍｍである第１ないし第１１のいずれかの発明に記載の抗がん剤含有尿吸着シート体に係る。
【００２５】
第１３の発明は、前記繊維状吸尿シート部材が、セルロース成分から形成されている第１ないし第１２のいずれかの発明に記載の抗がん剤含有尿吸着シート体に係る。
【発明の効果】
【００２６】
第１の発明に係る抗がん剤含有尿吸着シート体によると、抗がん剤の薬剤分子を含有する薬剤含有尿を吸収する薬剤含有尿吸収層部と、前記薬剤含有尿吸収層部の第１面側に配され薬剤含有尿を前記薬剤含有尿吸収層部側へ透過させる薬剤含有尿透過部と、前記薬剤含有尿吸収層部の第２面側に配され前記薬剤含有尿吸収層部側からの薬剤含有尿の漏洩を防ぐ透過防止部とを積層して備えた尿吸収シート体であり、前記尿吸収シート体は便器の周囲に配置され、前記薬剤含有尿吸収層部は、吸着活性炭を含有する活性炭含有シート状部材と、繊維状吸尿シート部材とを備えているとともに、前記吸着活性炭は平均細孔直径を１．７〜５ｎｍとする物性を有し、前記薬剤含有尿透過部は樹脂繊維の布状部材であり、前記透過防止部は樹脂製シート部材であるため、吸液能力を備えて抗がん剤等の毒性の高い薬剤を含有した尿を吸収するとともに、その尿中に含有される薬剤を吸着して患者、医療従事者、病院関係者等の安全性を向上した病院内の二次曝露対策に効果的となる。
【００２７】
第２の発明の係る抗がん剤含有尿吸着シート体によると、第１の発明において、前記活性炭含有シート状部材が前記薬剤含有尿吸収層部の第１面側に配され、前記繊維状吸尿シート部材が前記薬剤含有尿吸収層部の第２面側に配されているため、薬剤含有尿吸収層部では吸収し切れなかった薬剤含有尿の水分等は直下の繊維状吸液シート部材により吸収可能となる。
【００２８】
第３の発明の係る抗がん剤含有尿吸着シート体によると、抗がん剤の薬剤分子を含有する薬剤含有尿を吸収する薬剤含有尿吸収層部と、前記薬剤含有尿吸収層部の第１面側に配され薬剤含有尿を前記薬剤含有尿吸収層部側へ透過させる薬剤含有尿透過部と、前記薬剤含有尿吸収層部の第２面側に配され前記薬剤含有尿吸収層部側からの薬剤含有尿の漏洩を防ぐ透過防止部とを積層して備えた尿吸収シート体であり、前記尿吸収シート体は便器の周囲に配置され、前記薬剤含有尿吸収層部は、吸着活性炭を含有する活性炭含有シート状部材と、水膨潤性樹脂部材と、繊維状吸尿シート部材とを備えているとともに、前記吸着活性炭は平均細孔直径を１．７〜５ｎｍとする物性を有し、前記薬剤含有尿透過部は樹脂繊維の布状部材であり、前記透過防止部は樹脂製シート部材であるため、より吸液能力を備えて抗がん剤等の毒性の高い薬剤を含有した尿を吸収するとともに、その尿中に含有される薬剤を吸着して患者、医療従事者、病院関係者等の安全性を向上した病院内の二次曝露対策に効果的となる。
【００２９】
第４の発明の係る抗がん剤含有尿吸着シート体によると、第３の発明において、前記活性炭含有シート状部材が前記薬剤含有尿吸収層部の第１面側に配され、前記繊維状吸尿シート部材が前記薬剤含有尿吸収層部の第２面側に配されているとともに、前記水膨潤性樹脂部材が前記活性炭含有シート状部材と前記繊維状吸尿シート部材の間に備えられているため、薬剤含有尿吸収層部では吸収し切れなかった薬剤含有尿の水分等は直下の水膨潤性樹脂部材及び繊維状吸液シート部材により吸収可能となる。
【００３０】
第５の発明の係る抗がん剤含有尿吸着シート体によると、第１ないし第４のいずれかの発明において、前記薬剤分子が不揮発性の分子であるため、経皮吸収の危険性が軽減される。
【００３１】
第６の発明の係る抗がん剤含有尿吸着シート体によると、第１ないし第５のいずれかの発明において、前記薬剤分子の分子量が１００ないし１０００であるため、現在処方される抗がん剤の薬剤分子はほぼ網羅される。
【００３２】
第７の発明の係る抗がん剤含有尿吸着シート体によると、第１ないし第６のいずれかの発明において、前記吸着活性炭が、さらに、ＤＨプロット法による測定において当該吸着活性炭の単位重量当たりの細孔直径１〜１００ｎｍの細孔の細孔容積を０．０８ｃｍ3／ｇ以上とする物性を有するため、幅広い分子量の薬剤分子を吸着することができる。
【００３３】
第８の発明の係る抗がん剤含有尿吸着シート体によると、第１ないし第７のいずれかの発明において、前記薬剤含有尿透過部が、ＪＩＳ  Ｌ  １９１３（２０１０）に準拠した保水率の試験において、５００％以下の保水率であるため、薬剤含有尿は透過し薬剤含有尿吸収層部で吸収され、薬剤分子は吸着される。そして、薬剤含有尿透過部の表面部分での薬剤分子の露出は極力抑制され、薬剤含有尿吸液シート体の安全性は、封じ込めの作用により高まる。
【００３４】
第９の発明の係る抗がん剤含有尿吸着シート体によると、第１ないし第８のいずれかの発明において、前記薬剤含有尿透過部が合成樹脂繊維の不織布であるため、吸液性は抑制される。
【００３５】
第１０の発明の係る抗がん剤含有尿吸着シート体によると、第１ないし第９のいずれかの発明において、前記繊維状吸尿シート部材の目付量が１０ｇ／ｍ2以上であるため、繊維状吸尿シート部材の保水作用により、総じて薬剤含有尿吸収層部の薬剤含有尿の吸収量は増加する。
【００３６】
第１１の発明の係る抗がん剤含有尿吸着シート体によると、第１ないし第１０のいずれかの発明において、前記透過防止部の裏面に滑り止め部が備えられているため、配置位置の位置ずれが抑制される。
【００３７】
第１２の発明の係る抗がん剤含有尿吸着シート体によると、第１ないし第１１のいずれかの発明において、前記尿吸収シート体における、前記薬剤含有尿透過部と、前記薬剤含有尿吸収層部と、前記透過防止部とを積層した際の厚さが、０．３〜５ｍｍであるため、段差は少なくなり、患者の転倒を低減することができる。
【００３８】
第１３の発明の係る抗がん剤含有尿吸着シート体によると、第１ないし第１２のいずれかの発明において、前記繊維状吸尿シート部材が、セルロース成分から形成されているため、セルロース成分の親水性の良さが吸液に活用される。
【図面の簡単な説明】
【００３９】
【図１】本発明の第１実施形態の抗がん剤含有尿吸着シート体の断面図である。
【図２】本発明の第２実施形態の抗がん剤含有尿吸着シート体の断面図である。
【図３】作製した抗がん剤吸着シート体の全体写真である。
【図４】抗がん剤含有尿吸着シート体の使用時の写真である。
【発明を実施するための形態】
【００４０】
本発明の抗がん剤含有尿吸着シート体は、抗がん剤等を投与した化学療法の患者から排泄された尿を吸収することにより、その尿に含有される抗がん剤の薬剤分子を選択的に吸着して、便器周辺の抗がん剤の二次拡散を抑制する尿吸収シート体である。具体的には、便器（小便器、主に男性用の小便器）に向けて排泄された尿が便器に衝突後、飛沫となって周囲に飛散して便器周辺の壁や床に付着する。そこで、尿吸収シート体が予め便器の周囲に配置されていると、飛散した尿は吸収され、かつ、尿中に含有されている抗がん剤の薬剤分子は当該尿吸収シート体内に保持されて拡散は抑制される。本発明の抗がん剤含有尿吸着シート体はこのような用途のための尿吸収シート体である（図４の写真参照）。当該尿吸収シート体について、以後、断面図を用いながら、実施形態の抗がん剤含有尿吸着シート体の構造、特性を順に説明する。
【００４１】
背景技術にて述べたとおり、抗がん剤の調製作業は、一般に安全キャビネット内で行われる。キャビネット内は陰圧であることから、内部拡散した揮発性成分はキャビネット内に吸引される。しかし、薬剤分子が不揮発性である場合、内部飛散した液滴の付着部位から医療従事者の手や腕を通じて体内に浸透する危険性が高まる。また、調剤時、安全キャビネットの内部に飛散した抗がん剤の液滴が、安全キャビネット内に持ち込まれる薬剤袋、びん、その他の備品等に付着することもある。確かに、これらへの付着を通じての安全キャビネットの外部に抗がん剤の薬剤分子が拡散するおそれがある。ただし、安全キャビネットにおける抗がん剤の調製作業は習熟した薬剤師等の医療従事者により行われるため、薬剤拡散の管理は徹底されやすい。
【００４２】
これに対し、抗がん剤治療の化学療養病棟のトイレの場合、投薬を受けている患者本人及び他の患者が使用したり、清掃作業者等が清掃したりする。このように、不特定多数の者、特に、薬剤拡散について無防備な者が多く利用する。このことから、抗がん剤の薬剤分子の二次拡散抑制、曝露対策は大きな意味を持つ。抗がん剤の投薬治療中の患者から排泄された尿中には抗がん剤の薬剤分子が常温下で不揮発性の分子である場合、便器周辺の壁、床等に付着した後、ここからの経皮吸収の危険性はより高まる。そこで、便器周辺の壁、床等に抗がん剤含有尿吸着シート体（尿吸収シート体）が配置されると、不揮発性の薬剤分子を含有する薬剤含有尿はシート体内に吸収され、経皮吸収の危険性は軽減される。
【００４３】
抗がん剤含有尿吸着シート体は、主に分子量１００ないし１０００の範囲の薬剤分子を含有する薬剤含有尿を吸収の対象とする。当該分子量範囲の薬剤分子は、現在主流の抗がん剤に相当する分子量である。しかも不揮発性の薬剤分子を含有する薬剤含有尿である。当該分子量範囲の薬剤分子は、尿中等のアンモニア（分子量：１７．０３）と異なり、常温下ではほとんど揮発しないと考えられる。
【００４４】
ここで、代表的な抗がん剤とその分子は、パクリタキセル（分子量：８５３．９１）、シクロフォスファミド（分子量：２７９．１０）、イリノテカン（分子量：６７７．１８）、５−フルオロウラシル（分子量：１３０．０８）、アドリアマイシン（分子量：５７９．９８）、メトトレキセート（分子量：４５４．４４）、ダカルバジン（分子量：１８２．１８）、シタラビン（分子量：２４３．２２）、ビンクリスチン（分子量：９２３．０４）、ゲムシタビン（分子量：２９９．６６）、ミトキサントロン（分子量：５１７．４０）、マイトマイシン（分子量：３３４．３３）、エピルビシン（分子量：５４３．５２）、エトポシド（分子量：５８８．５６）、シスプラチン（分子量：３００．０５）、カルボプラチン（分子量：３７１．２５）等として列記される。
【００４５】
列記の薬剤分子の分子量範囲を勘案すると、ほぼ１００ないし１０００の範囲に収斂する。つまり、現在処方される抗がん剤の薬剤分子はほぼ網羅される。そこで、分子量１００ないし１０００の範囲の分子吸着が実現すると、抗がん剤を含有する尿を介した二次拡散の危険性は大きく減少する。
【００４６】
［第１実施形態］
図１の断面図（模式図）は第１実施形態の抗がん剤含有尿吸着シート体１Ａを示す。抗がん剤含有尿吸着シート体１Ａには、その中心に薬剤含有尿吸収層部１０ａが備えられる。薬剤含有尿吸収層部１０ａの第１面側（図示では上側）に薬剤含有尿透過部２０が配置され備えられる。同時に、薬剤含有尿吸収層部１０ａの第２面側（図示では下側）に透過防止部３０が配置され備えられる。従って、抗がん剤含有尿吸着シート体１Ａの本体部分となる尿吸収シート体１Ｓは、薬剤含有尿透過部２０、薬剤含有尿吸収層部１０ａ、及び透過防止部３０の３層を備えた積層構造として形成される。図中、符号５０は滑り止め部である。
【００４７】
〈薬剤含有尿吸収層部〉
薬剤含有尿吸収層部１０ａの役割は、排泄時に飛散した尿を吸収するとともに、当該尿中に含有されている抗がん剤の薬剤分子を内部に吸着してシート体外部へ漏洩を防止することである。そこで、薬剤含有尿吸収層部１０ａには、活性炭含有シート状部材１１と、繊維状吸尿シート部材１２が備えられる。
【００４８】
薬剤含有尿吸収層部１０ａにおける薬剤分子の吸着に際し、吸着活性炭が使用される。さらに、薬剤含有尿の状態での吸収に対応するため、吸液性にも優れた素材も必要である。加えて、ディスポーザブル（使い捨て）、つまりワンウェイの使用であるため、低廉に仕上げる必要もある。このことを勘案して、薬剤含有尿吸収層部１０ａには、吸着活性炭を含有する活性炭含有シート状部材が備えられる。
【００４９】
吸着活性炭は、分子量１００ないし１０００の範囲の薬剤分子（前記列挙の抗がん剤の薬効成分参照）の吸着を考慮して、後記の実施例のとおり平均細孔直径１．７ないし５ｎｍの物性を呈する活性炭から選択される。平均細孔直径が１．７ｎｍを下回る活性炭の場合、平均細孔直径が小さく薬剤分子の吸着に不向きである。平均細孔直径が５ｎｍを上回る活性炭の場合、平均細孔直径が大きすぎであり、細孔内に入り込んだ薬剤分子の捕集（固定）が不十分となり、脱離すると考えられる。
【００５０】
吸着活性炭には、前記の平均細孔径の物性とともにさらに細孔容積の物性も追加される。この場合、ＤＨプロット法（Ｄｏｌｌｉｍｏｒｅ−Ｈｅａｌ法、ＤＨ法）による吸着活性炭の細孔分布の解析において、吸着活性炭の単位重量当たりの細孔直径１ないし１００ｎｍの細孔の細孔容積は０．０８ｃｍ3／ｇ以上とする物性である。ＤＨプロット法は一般に１ｎｍないし１００ｎｍの直径のメソ細孔の分布解析を比較的容易に把握できる。このことから、ＤＨプロット法は当該直径範囲を含む分布の細孔の解析に有利に用いられる。
【００５１】
吸着活性炭の単位重量当たりの細孔容積の上限については、使用する活性炭の種類、賦活の方法等により変動するものの、後記の実施例の傾向から、概ね２ｃｍ3／ｇ前後と考えられる。細孔容積が０．０８ｃｍ3／ｇを下回る場合、活性炭における細孔量が少ないことから、薬剤分子の吸着能力は低下する。特に、抗がん剤含有尿吸着シート体の形状を勘案すると、多量の活性炭を充填することはできない。そのような制約条件下で効率良く、幅広い分子量の薬剤分子を吸着しなければならない。それゆえ、ＤＨプロット法の指標は吸着活性炭の単位重量当たりの細孔容積を評価できる意味において意義は大きい。
【００５２】
吸着活性炭の原料は、ヤシ殻、大鋸粉（オガコ）、廃材、廃竹、石炭、石油ピッチ、フェノール樹脂等である。これらの原料は炭化された後、水蒸気賦活、塩化亜鉛賦活、リン酸賦活、硫酸賦活、空気賦活、炭酸ガス賦活等の賦活処理が加えられる。この結果、活性炭に細孔が発達する。
【００５３】
上記にて詳述のとおり、吸着活性炭は現在主流の抗がん剤等の薬剤分子の分子量に対応した細孔の物性を備えている。従って、抗がん剤含有尿吸着シート体は薬剤分子の効率の良い吸着とその状態の維持に効果を発揮する。しかしながら、吸着活性炭の保持に際し、単に活性炭のみでは薬剤含有尿の水分を上手く吸収して保持することができない。そこで、吸着活性炭は活性炭含有シート状部材１１の形態にされる。
【００５４】
活性炭含有シート状部材１１は、例えば繊維状物と吸着活性炭を混合したシートである。繊維状物は相対的に吸水性に優れた紙、パルプに加え、綿、麻、レーヨン等の繊維類の素材から選択される。これらの繊維状物と吸着活性炭との組み合わせ方は適宜である。例えば、吸着活性炭は紙、布（織布、不織布）等の薄層体同士の間に挟み込まれる。または、紙、繊維等がスラリー状にされ、この中に吸着活性炭が分散された後、抄紙の要領によりシート状に仕上げられる。いわゆる紙漉きに近似した製法により形成される。このようにして、薬剤含有尿吸収層部１０が形成される。
【００５５】
さらに、薬剤含有尿吸収層部１０ａには、前述の活性炭含有シート状部材１１に加え、繊維状吸尿シート部材１２が備えられる。繊維状吸尿シート部材１２は、吸水性に富む公知の繊維状素材から形成される。具体的には、綿、麻、再生セルロース繊維等より形成された織布、不織布、さらにはパルプ原料の紙等のシート部材である。これらの繊維状吸液シート部材は、セルロース成分から形成されている点で共通する。一般にセルロースは分子中に水酸基を多く含むことから、親水性となる。そこで、この親水性の良さが吸液に活用される。
【００５６】
加えて、繊維状吸尿シート部材１２の目付量は１０ｇ／ｍ2以上であり、好ましい目付量は、およそ１０ないし３０ｇ／ｍ2である。目付量の増加に伴い、繊維状吸尿シート部材１２の繊維量は増える。繊維状吸尿シート部材１２の保水作用により、総じて薬剤含有尿吸収層部１０ａの薬剤含有尿の吸収量も増加する。この結果、薬剤含有尿吸収層部１０ａに吸収、保持されている薬剤含有尿中の抗がん剤の薬剤分子は活性炭含有シート状部材１１に含まれている活性炭に吸着される。
【００５７】
抗がん剤含有尿吸着シート体１Ａの薬剤含有尿吸収層部１０ａを構成する活性炭含有シート状部材１１と繊維状吸尿シート部材１２の上下関係は原則自由である。いずれであっても薬剤含有尿吸収層部１０ａ自体は薬剤含有尿透過部２０と透過防止部３０の間に挟まれており、露出していない。そのため、薬剤含有尿は薬剤含有尿吸収層部１０ａにより吸液されれば、抗がん剤含有尿吸着シート体からの抗がん剤の薬剤分子の外部拡散は大きく軽減される。
【００５８】
図１の断面図の開示によると、活性炭含有シート状部材１１は薬剤含有尿吸収層部１０ａの第１面１８側に配され、繊維状吸尿シート部材１２は薬剤含有尿吸収層部１０ａの第２面１９側に配される。当該上下の配置によると、抗がん剤含有尿吸着シート体１Ａの薬剤含有尿透過部２０を透過した薬剤含有尿中に含まれる抗がん剤の薬剤分子は、最初に薬剤含有尿吸収層部１０ａの活性炭含有シート状部材１１の吸着活性炭により吸着される。その上で、薬剤含有尿は同活性炭含有シート状部材１１に含浸される。さらに、薬剤含有尿吸収層部１０ａでは吸収し切れなかった薬剤含有尿の水分等は直下の繊維状吸尿シート部材１２により吸収される。このように、薬剤含有尿の吸収対策は二重である。特に活性炭含有シート状部材１１が最初に抗がん剤の薬剤分子に接触しやすくして、吸着活性炭による吸着（捕集）効果はより高められている。
【００５９】
〈薬剤含有尿透過部〉
薬剤含有尿吸収層部１０ａの第１面１８の側に配される薬剤含有尿透過部２０の役割は薬剤含有尿吸収層部１０ａの保護に加え、薬剤含有尿吸液シート体に滴下、付着した薬剤含有尿を当該薬剤含有尿透過部２０の段階では吸収しすぎることなく、可能な限り薬剤含有尿吸収層部１０ａ側へ透過させることである。
【００６０】
薬剤含有尿透過部２０の段階で薬剤含有尿透過部２０により薬剤含有尿を吸収することは、一見問題無いようにも思われる。しかしながら、薬剤含有尿中の薬剤分子は薬剤含有尿透過部２０のみでは吸着されず、薬剤含有尿の吸収のみに留まる。そうすると、薬剤含有尿透過部２０に留まった抗がん剤の薬剤分子は、薬剤含有尿透過部２０と接触する履物（スリッパ、サンダル等）、さらには他人の皮膚等に付着しやすくなる。そして、これらを介して汚染は拡散するおそれがある。あるいは、薬剤含有尿の乾燥後、薬剤含有尿透過部２０の表面に抗がん剤の薬剤分子が露出しやすくなる。このようになると、薬剤分子の捕捉はより難しくなり安全上も問題視される。従って、薬剤含有尿透過部２０に求められる特性は、薬剤含有尿を吸収し保持することではなく、薬剤含有尿を適切に透過させて薬剤含有尿吸収層部１０ａでの吸収を促し、その内部の吸着活性炭により薬剤分子を吸着させることになる。結果、薬剤含有尿透過部２０の表面２８部分での薬剤分子の露出は極力抑制され、薬剤含有尿吸液シート体の安全性は、封じ込めの作用により高まる。
【００６１】
それゆえ、薬剤含有尿吸収層部１０ａと比較して相対的に吸液性（吸水性）の低いまたは乏しい材料（疎水性材料）から形成される。そこで、薬剤含有尿透過部２０は樹脂繊維の布状部材から形成される。樹脂繊維の布状部材は、吸液性の抑制を考慮して合成樹脂繊維の織布または合成樹脂繊維の不織布である。合成樹脂繊維は、ポリエチレン（ＰＥ）、ポリプロピレン（ＰＰ）、ポリ塩化ビニル（ＰＶＣ）、またはポリエチレンテレフタレート（ＰＥＴ）等の調達容易な樹脂材料である。むろん、ポリ乳酸等のその他の樹脂材料を使用しても良い。織布または不織布の形態の選択は任意である。実施例の試行に際し、不織布の布状部材の目付量（密度）は織布よりも低いため、不織布を選択した。
【００６２】
薬剤含有尿透過部２０の薬剤含有尿を透過させる性能は、ＪＩＳ  Ｌ  １９１３（２０１０）に準拠した「一般不織布試験方法」の６．９吸水性より６．９．２保水率の試験項目を通じて評価することができる。同規格の試験において、５００％以下の保水率であることが好ましく、さらには２５０％以下であることが好ましい。保水率が５００％を超過する場合、薬剤含有尿の薬剤含有尿透過部２０での滞留量が多くなることから、所望の透過に反する。なお、保水率が０％にならない要因として、薬剤含有尿透過部２０自体が織布または不織布であり繊維状である。そこで、薬剤含有尿の表面張力の影響から多少の内部残存が解消できないためである。
【００６３】
〈透過防止部〉
薬剤含有尿吸収層部１０ａの第２面１９の側に配される透過防止部３０の役割は薬剤含有尿吸収層部１０ａの保護に加え、薬剤含有尿吸液シート体（吸尿シート部材）に付着した薬剤含有尿をそのまま透過させて外部に漏出させることなく透過防止部３０で受け止めることである。つまり、薬剤含有尿吸液シート体からの薬剤含有尿の漏洩が防止される。
【００６４】
そこで、透過防止部３０は水分の不透過目的から樹脂製シート部材により形成される。透過防止部３０には樹脂製フィルムも含まれる。樹脂製シート部材は、防水性の点からポリエチレン（ＰＥ）、ポリプロピレン（ＰＰ）、ポリ塩化ビニル（ＰＶＣ）、またはポリエチレンテレフタレート（ＰＥＴ）等の調達容易な樹脂から形成される。他に、ポリ乳酸等のその他の樹脂材料も加えられる。樹脂製シート部材は、一般に入手可能な層厚さであり、一軸延伸、二軸延伸、無延伸等の公知の製膜方法により製造される。
【００６５】
薬剤含有尿吸収層部１０ａを上下から挟む薬剤含有尿透過部２０と透過防止部３０の相互の固定方法は、特に限定されない。図１の縁部４０において、薬剤含有尿透過部２０と透過防止部３０は接着剤により接着される他、ホットメルト（透過防止部３０の熱溶融）等の方法により相互に接着され、内部に薬剤含有尿吸収層部１０ａは固定される。接着剤は、例えばエポキシ樹脂系、アクリレート樹脂系、さらにはエチレン酢酸ビニル樹脂等の各種の樹脂である。ホットメルトに際しては熱盤による固定機器、超音波振動による固定機器等が使用される。加えて、縫製により固定することもできる。
【００６６】
［第２実施形態］
図２の断面図（模式図）は第２実施形態の抗がん剤含有尿吸着シート体１Ｂを示す。第２実施形態の抗がん剤含有尿吸着シート体１Ｂでは、シート体の中心に置かれる薬剤含有尿吸収層部１０ｂには活性炭含有シート状部材１１と、水膨潤性樹脂部材１３と、繊維状吸液シート部材１２が備えられる。抗がん剤含有尿吸着シート体１Ｂの本体部分となる尿吸収シート体１Ｓについても、薬剤含有尿透過部２０、薬剤含有尿吸収層部１０ｂ、及び透過防止部３０の３層を備えた積層構造として形成される。なお、薬剤含有尿吸収層部１０ｂを上下から挟む薬剤含有尿透過部２０、透過防止部３０、及び繊維状吸液シート部材１２については前述の第１実施形態における説明と同様である。
【００６７】
抗がん剤含有尿吸着シート体１Ｂでは、水膨潤性樹脂部材１３が活性炭含有シート状部材１１及び繊維状吸液シート部材１２に加わるため、吸液能力がさらに補強される。そうすると、抗がん剤含有尿吸着シート体１Ｂ上に飛散し付着する薬剤含有尿の量が多い場合、活性炭含有シート状部材１１では吸収しきれなかった薬剤含有尿は繊維状吸液シート部材１２及び水膨潤性樹脂部材１３において吸収される。結果的に、抗がん剤含有尿吸着シート体１Ｂの安全性はいっそう高まる。
【００６８】
抗がん剤含有尿吸着シート体１Ｂにおいて、薬剤含有尿吸収層部１０ｂに含まれる水膨潤性樹脂部材１３は一般的に使用されている吸水素材（吸水性ポリマー）である。例えば、カルボキシメチルセルロース架橋物、ポリアクリル酸塩重合架橋物（ポリアクリル酸ナトリウム系）等の高分子樹脂素材である。水膨潤性樹脂部材１３は前記の高分子樹脂をシート状（繊維の織布、不織布も含まれる）、ビーズ状（粒状）、粉末状に加工され、薬剤含有尿吸収層部１０ｂの中に配置される。
【００６９】
抗がん剤含有尿吸着シート体１Ｂの薬剤含有尿吸収層部１０ｂを構成する活性炭含有シート状部材１１、繊維状吸液シート部材１２、水膨潤性樹脂部材１３の上下関係も原則自由である。どのような上下の順序であっても薬剤含有尿吸収層部１０ｂ自体は薬剤含有尿透過部２０と透過防止部３０の間に挟まれており、露出していない。そのため、薬剤含有尿は薬剤含有尿吸収層部１０ｂにより吸液されれば、抗がん剤の薬剤分子の外部拡散は大きく軽減される。
【００７０】
図２の断面図の開示によると、活性炭含有シート状部材１１は薬剤含有尿吸収層部１０ｂの第１面１８側に配され、繊維状吸液シート部材１２は薬剤含有尿吸収層部１０ｂの第２面１９側に配される。そして、水膨潤性樹脂部材１３は、活性炭含有シート状部材１１と繊維状吸液シート部材１２の間に備えられる。当該配置関係によると、抗がん剤含有尿吸着シート体１Ｂの薬剤含有尿透過部２０を透過した薬剤含有尿中に含まれる抗がん剤の薬剤分子は、最初に薬剤含有尿吸収層部１０ｂの活性炭含有シート状部材１１の吸着活性炭により吸着される。その上で、薬剤含有尿は同活性炭含有シート状部材１１に含浸される。さらに、薬剤含有尿吸収層部１０ｂでは吸収し切れなかった薬剤含有尿の水分等は直下の水膨潤性樹脂部材１３及び繊維状吸液シート部材１２により吸収される。このように、薬剤含有尿の吸収対策は三重であり、より高度化されている。特に活性炭含有シート状部材１１が最初に抗がん剤の薬剤分子に接触しやすくして、吸着活性炭による吸着（捕集）効果はより高められている。
【００７１】
なお、水膨潤性樹脂部材１３はシート状以外にもビーズ状等の不定形の形態も存在する。そこで安定した保持のため、活性炭含有シート状部材１１と繊維状吸液シート部材１２の間の配置が好適である。
【００７２】
［固定］
これまでに説明した第１実施形態の抗がん剤含有尿吸着シート体１Ａ（図１参照）の薬剤含有尿吸収層部１０ａ及び第２実施形態の抗がん剤含有尿吸着シート体１Ｂ（図２参照）の薬剤含有尿吸収層部１０ｂは、自明ながら積層された構造である。薬剤含有尿吸収層部の各層の部材が相互に離れてしまうと層間に隙間が多くなり、薬剤含有尿が薬剤含有尿透過部を透過して薬剤含有尿吸収層部に到達した際の吸収性能が低下するおそれがある。つまり、吸水速度が低下する。また、抗がん剤含有尿吸着シート体自体が厚くなり、折りたたみや保存の効率上好ましくない。これらの点を勘案して、薬剤含有尿吸収層部の各層の部材は適度に接合される。部材相互の接合に際し、接着剤による固定、またはエンボス加工による圧着等の手法が用いられる。
【００７３】
さらに、各実施形態の抗がん剤含有尿吸着シート体１Ａ及び１Ｂにおいて、薬剤含有尿吸収層部１０ａまたは１０ｂとその第１面側に配される薬剤含有尿透過部２０も、同薬剤含有尿吸収層部１０ａまたは１０ｂとその第２面側に配される透過防止部３０も、それぞれ接合される。これも部材毎の隙間を減らしたり、全体の厚みを減らしたりする効果からである。
【００７４】
薬剤含有尿吸収層部１０ａまたは１０ｂと薬剤含有尿透過部２０との接合は、接着剤による固定、エンボス加工による圧着、ホットメルト等である。薬剤含有尿透過部が合成樹脂繊維の布状部材であれば、熱融着は容易である。この接合では、一面とするのではなく、間隔を離した点状、線状等の相互固定である。薬剤含有尿吸収層部１０ａまたは１０ｂと透過防止部３０との接合では、専ら接着剤が使用される。透過防止部の意義は、抗がん剤含有尿吸着シート体に滴下した抗がん剤の薬剤分子を含む薬剤含有尿を外部に漏洩させなくする。それゆえ防水性を高める必要から、透過防止部に穴や亀裂が生じる接合方法は採用できない。このため、安全面から接着剤による固定となる。この接合においても、一面とするのではなく、間隔を離した点状、線状等の相互固定である。
【００７５】
そこで、第１実施形態の抗がん剤含有尿吸着シート体１Ａ（図１参照）及び第２実施形態の抗がん剤含有尿吸着シート体１Ｂ（図２参照）においては、薬剤含有尿透過部２０と、薬剤含有尿吸収層部１０ａまたは１０ｂと、透過防止部３０とを積層して固定した際の厚さは、０．３ないし５ｍｍの範囲であり、好ましくは０．３ないし３ｍｍ、さらに好ましくは０．３ないし１．５ｍｍの範囲である。抗がん剤含有尿吸着シート体の厚さは、当該抗がん剤含有尿吸着シート体１Ａ，１Ｂの全体の厚さに相当する。後記の実施例の測定にて開示のとおり、抗がん剤含有尿吸着シート体の厚さは圧縮により緻密になった際の厚さの数値である。
【００７６】
当該厚さの範囲は、実際の便器周りへの配置を考慮した厚さである。厚くするほど薬剤分子の吸着性能、シート体としての吸液性能、シートの強度は増加する。しかしながら、吸着シート体自体の厚さにより便器周辺に床との段差が生じる。そうすると、患者は吸着シート体によりつまずいて転倒するおそれがある。特に、高齢者、入院により脚力の弱まった患者、点滴スタンドを押した患者にあっては、排泄前後の移動時に転倒しやすくなる。そこで、抗がん剤含有尿吸着シート体の厚さを薄く仕上げて床面との段差を少なくする必要がある。なお、下限については薄いほど好ましいものの、薬剤分子の吸着性能、シート体としての吸液性能、さらには取り扱い時の強度等を勘案すると、概ね０．３ｍｍ程度は必要とされる。
【００７７】
［配置・設置］
第１実施形態（図１参照）の抗がん剤含有尿吸着シート体１Ａ（尿吸収シート体１Ｓ）及び第２実施形態（図２参照）の抗がん剤含有尿吸着シート体１Ｂ（尿吸収シート体１Ｓ）を便器の周囲に配置する際、床面や壁面に効率よく固定して位置ずれを防ぐ必要がある。そのため、図１及び２のとおり、透過防止部３０の裏面に、さらに滑り止め部５０が備えられる。図示の滑り止め部５０は両面テープの例である。テープの本体となる粘着部５１と保護シート５２から形成され、透過防止部３０の裏面に貼着される。使用時には、保護シート５２が剥がされ、粘着部５１が便器の周囲の床面や壁面に貼着され、当該抗がん剤含有尿吸着シート体１Ａまたは１Ｂは便器の周囲に配置される。滑り止め部５０としては、他に粘弾性を有するエラストマー樹脂を透過防止部３０の裏面に塗工して摩擦力を増して固定性能を高めることもできる（図示せず）。さらには、滑り止め部５０として面ファスナー等を使用しても良い（図示せず）。
【実施例】
【００７８】
発明者らは、抗がん剤含有尿吸着シート体を作製するに際し、主要な構成部材に分けて性質、物性の良否を判断した。その上で、抗がん剤含有尿吸着シート体を実際の抗がん剤の調製による薬剤に使用して評価を試みた。
【００７９】
［薬剤含有尿透過部の性能評価，選択］
薬剤含有尿透過部に使用する部材の好ましい特性は、薬剤含有尿透過部における薬剤含有尿の吸収を抑制しつつ、可能な限り滴下した薬剤含有尿を通過（透過）させることである。そこで、ＪＩＳ  Ｌ  １９１３（２０１０）：一般不織布試験方法，６．９吸水性（ＪＩＳ法），６．９．２（保水率）を採用した。この規格に準拠して次の８種類の布状部材１ないし８を用意し当該一般不織布試験に供した。各布状部材の保水率（％）を測定するとともに、性能を評価した。
【００８０】
各布状部材を一辺５０ｍｍの正方形に裁断して重量を測定した（１ｍｇ単位）。イオン交換水を満たしたバットに裁断した布状部材を１５分間浸漬した。浸漬の後、布状部材をバットから取り出し１分間水が滴り落ちるのを待った。そして、この重量を測定した（１ｍｇ単位）。布状部材を水に浸漬する前後の重量差から保水率を求めた。一つの布状部材につき３品（ｎ＝３）測定し、その算術平均値を当該布状部材の保水率（％）とした。
【００８１】
〈布状部材〉
布状部材１：廣瀬製紙株式会社製，０５ＴＨ−２４，材質：ポリエチレンテレフタレート，形態：不織布，目付量２５．６ｇ／ｍ2。
布状部材２：廣瀬製紙株式会社製，０５ＥＰ−２６，材質：ポリエチレンテレフタレート及びポリプロピレン，形態：不織布，目付量２６．４ｇ／ｍ2。
布状部材３：シンワ株式会社製，９７１６−Ｆ０，材質：ポリエチレンテレフタレート及びポリエチレン，形態：不織布，目付量１６．０ｇ／ｍ2。
布状部材４：宇摩製紙株式会社製，ＵＬ−Ｓ，材質：ポリプロピレン及びポリエチレン，形態：不織布，目付量１８．０ｇ／ｍ2。
布状部材５：廣瀬製紙株式会社製，０５ＥＰ−２３，材質：ポリエチレンテレフタレート及びポリプロピレン，形態：不織布，目付量２３．４ｇ／ｍ2。
布状部材６：廣瀬製紙株式会社製，０５ＥＰ−３５，材質：ポリエチレンテレフタレート及びポリプロピレン，形態：不織布，目付量３５．４ｇ／ｍ2。
布状部材７：フタムラ化学株式会社製，ＴＣＦ＃８０２２，材質：レーヨン，形態：不織布，目付量２２．０ｇ／ｍ2。
布状部材８：丸三産業式会社製，Ｉ／ＣＸＸ２５−＃２５−３３０，材質：綿，形態：不織布，目付量２５．０ｇ／ｍ2。
【００８２】
結果は表１となった。表１中、材質のＰＥＴはポリエチレンテレフタレート、ＰＥはポリエチレン、ＰＰはポリプロピレンを示す。上から順に、形態、材質、目付量（ｇ／ｍ2）、保水率（％）、及び良否評価とした。良否評価において、保水率が５００％未満を「Ａ」とし、５００％以上を「Ｆ」とした。保水率５００％未満であれば、素手で触れた際に湿り気をほぼ感じないことから、一定の区切りの値として採用した。
【００８３】
【表１】
2018126316.tif 000003
【００８４】
〈保水率の考察〉
合成樹脂繊維の材質から形成した布状部材１ないし６は、ばらつきはあるものの総じて保水率は低めであった。これに対してレーヨン（セルロース由来）、綿（セルロース）の布状部材７，８では、保水率が上昇した。合成樹脂繊維の布状部材では表面張力の影響を受けるものの、疎水的性質から布状部材自体の吸水は抑制されたと考えることができる。従って、薬剤含有尿透過部を構成するに際し、樹脂繊維、特には合成樹脂繊維の布状部材（不織布）を採用することが好ましい。
【００８５】
〈保水率の考察〉
合成樹脂繊維の材質から形成した布状部材１ないし６は、ばらつきはあるものの総じて保水率は低めであった。これに対してレーヨン（セルロース由来）、綿（セルロース）の布状部材７，８では、保水率が上昇した。合成樹脂繊維の布状部材では表面張力の影響を受けるものの、疎水的性質から布状部材自体の吸水は抑制されたと考えることができる。従って、薬剤液透過部を構成するに際し、樹脂繊維、特には合成樹脂繊維の布状部材（不織布）を採用することが好ましい。
【００８６】
［吸着活性炭の性能評価，選択］
抗がん剤吸着シート体における抗がん剤の薬剤分子の吸着主体は吸着活性炭である。そこで、８種類の吸着活性炭１ないし８と、合成ゼオライトの計９種類の吸着材料について、分子の吸着能力の高低を評価した。ただし、抗がん剤は高価であり、毒性等問題から取り扱いに注意を要する。そこで、吸着性能の評価に際し、現在処方されている抗がん剤の薬剤分子に類似する化合物を代用物質として用い、活性炭の吸着能力を測定した。
【００８７】
〈吸着材料〉
吸着活性炭１ないし８は、全てフタムラ化学株式会社製の活性炭を使用した。
吸着活性炭１：粉末活性炭「Ｓ」（木質系）
吸着活性炭２：粉末活性炭「ＩＰ」（木質系）
吸着活性炭３：粉末活性炭「ＣＩ」（ヤシ殻）
吸着活性炭４：粉末活性炭「ＣＢ」（ヤシ殻）
吸着活性炭５：粉末活性炭「ＧＢ」（石炭系）
吸着活性炭６：粒状活性炭「ＣＮ４８０Ｓ」（ヤシ殻）
吸着活性炭７：粒状活性炭「ＣＷ４８０ＡＬ」（ヤシ殻）
吸着活性炭８：繊維状活性炭「ＡＣＦ」（フェノール樹脂系）
【００８８】
物性等の詳細は表２に示す。活性炭の対照として合成ゼオライト「東ソー株式会社製，ゼオラムＦ−９」を使用した。
なお、吸着活性炭６、７、及び８については、サンプルミルにより平均粒径約１５μｍに粉砕して以降の試験に供した。
【００８９】
〈吸着活性炭の物性測定〉
平均粒径（μｍ）の測定は、株式会社島津製作所製，レーザー回折式粒度分布測定装置「ＳＡＬＤ−３０００」を使用した。この測定における「平均粒径」とは、同装置を用いてレーザー回折・散乱法によって求めた粒度分布における積算値５０％での粒径（累積平均径）を意味する。
【００９０】
平均細孔直径及びＤＨプロットの細孔容積（ＶD）は、マイクロトラック・ベル株式会社製，自動比表面積／細孔分布測定装置「ＢＥＬＳＯＲＰ−ｍｉｎｉＩＩ」を使用した。細孔直径１ｎｍないし１００ｎｍの範囲の全細孔容積（ｃｍ3／ｇ（またはｃｃ／ｇ））は、同装置を使用し、Ｇｕｒｖｉｔｓｃｈの法則を適用しＤＨ法により相対圧０．９５３における窒素吸着量（Ｖ）を下記の数式（ｉ）により液体窒素の体積（Ｖp）に換算して求めた。
【００９１】
なお、式（ｉ）において、Ｍgは吸着質の分子量（窒素：２８．０２０）、ρg（ｇ／ｃｍ3）は吸着質の密度（窒素：０．８０８）である。
【００９２】
【数１】
2018126316.tif 000004
【００９３】
平均細孔直径（ｎｍ）は、細孔の形状を円筒形と仮定し、前述の測定から得た細孔容積（ｃｃ／ｇ）及び比表面積（ｍ2／ｇ）の値を用いて式（ｉｉ）より求めた。
【００９４】
【数２】
2018126316.tif 000005
【００９５】
〈代用物質〉
低分子量（例えばシクロホスファミド（分子量：２７９．１０）等）を代表して、カフェイン「分子式：Ｃ8Ｈ10Ｎ4Ｏ2，分子量：１９４．１９（キシダ科学株式会社製，無水カフェイン）」を使用した。
中分子量（例えばマイトマイシン（分子量：３３４．３３）等）を代表して、キニーネ「分子式：Ｃ20Ｈ24Ｎ2Ｏ2，分子量：３２４．４２（関東化学株式会社製，硫酸キニーネ・二水和物）」を使用した。
高分子量（例えばイリノテカン（分子量：６７７．１８）等）を代表して、ヘマトポルフィリン「分子式：Ｃ34Ｈ38Ｎ4Ｏ6，分子量：５９８．６９（和光純薬株式会社製，ヘマトポルフィリン）」を使用した。
これら３種類のアルカロイドの代用物質は抗がん剤の薬剤分子（薬効成分）と概ね近似した分子量である。そのため、活性炭吸着の挙動も近似すると推定して採用した。
【００９６】
〈代用物質の試験液の調製〉
前記の無水カフェイン１００ｍｇをイオン交換水１Ｌに溶解し、カフェイン水溶液を調製した（ｐＨ：７．２）。
前記の硫酸キニーネ・二水和物１２０．７ｍｇをイオン交換水１Ｌに溶解し、キニーネ水溶液を調製した（ｐＨ：６．８）。
前記のヘマトポルフィリン１１７．６５ｍｇをエタノール１００ｍＬに溶解後、同エタノール溶液にイオン交換水を足し総量で１Ｌとし、ヘマトポルフィリン水溶液を調製した（ｐＨ５．１）。
【００９７】
〈試験・評価方法（試験液）〉
１００ｍＬ三角フラスコ内に各吸着材料を２５ｍｇずつ秤量し投入した。この三角フラスコ内に、測定対象となる代用物質の試験液に応じ、カフェイン水溶液５０ｍＬ、キニーネ水溶液５０ｍＬ、またはヘマトポルフィリン水溶液５０ｍＬを注入した。１回の吸着測定に際し、三角フラスコに入る代用物質の試験液は１種類とした。つまり、一度に三角フラスコに２種類の代用物質の試験液が入ることはない。
【００９８】
吸着材料（２５ｍｇ）入りの三角フラスコ（１００ｍＬ）内に代用物質の試験液を５０ｍＬ注入後、三角フラスコを６０分間振とうした。振とう後の溶液を０．４５μｍのメンブレンフィルターにより吸引濾過し個々の吸着材料の試験液毎の濾液を得た。カフェインとキニーネについては、ＴＯＣ計（株式会社島津製作所製，ＴＯＣ−Ｖ）を使用して濾液中のＴＯＣ濃度を測定し、当初の水溶液と比較して、その減少量を吸着材料による吸着量とした。ヘマトポルフィリンについては、分光光度計（株式会社島津製作所製，ＵＶｍｉｎｉ−１２４０）を使用して濾液の吸光度を測定し、当初の水溶液と比較して、その吸光度の減少量を吸着材料による吸着量とした。なお、一つの吸着材料について２回測定し（ｎ＝２）、算術平均を求めた。
【００９９】
吸着率（％）は、「｛（試験液の当初濃度）−（濾過後の濾液の濃度）｝／（試験液の当初濃度）×１００」として求めた。結果は表２及び３である。個々の吸着材料毎に、形態、原料由来、平均粒径（μｍ）、平均細孔直径（ｎｍ）、ＤＨプロット法による細孔容積（ＶD）（ｃｍ3／ｇ）、カフェイン吸着率（％）、キニーネ吸着率（％）、ヘマトポルフィリン吸着率（％）、及び総合評価（Ａ、Ｂ、またはＦの３段階）を記した。総合評価に際し、３種類の代用物質の吸着率がいずれも５０％以上であった吸着材料を「Ａ」の評価とした。３種類の代用物質の吸着率が２種類で５０％以上であった吸着材料を「Ｂ」の評価とし、３種類の代用物質の吸着率が２種類で５０％未満であった吸着材料を「Ｆ」の評価とした。
【０１００】
〈人工尿による評価〉
さらに、前出の吸着活性炭１，３，４，５，及び８の計５種類の吸着活性炭について、前出の無水カフェイン及びヘマトポルフィリンを人工尿に溶解して調製した溶液に対する活性炭の吸着能力を測定した。水と人工尿では塩類量が異なる。そこで、実際の尿に近づけて検証するためである。各活性炭の物性測定は前述と同様である。なお、同一の活性炭であるにもかかわらず物性値が相違した理由は、測定日の相違と測定対象のばらつきと考える。
【０１０１】
人工尿は、ＪＩＳ  Ｔ  ３２１４（２０１１）ぼうこう（膀胱）留置用カテーテル，附属書Ａに記載の「Ａ．２．１  人工尿」の配合に準拠して調製した。
前記の無水カフェイン１００ｍｇを人工尿１Ｌに溶解し、代用物質のカフェイン含有の人工尿を調製した。
前記のヘマトポルフィリン１１７．６５ｍｇをエタノール１００ｍＬに溶解後、同エタノール溶液に人口尿を足し総量で１Ｌとし、代用物質のヘマトポルフィリン含有の人工尿を調製した。
【０１０２】
〈試験・評価方法（人工尿）〉
無水カフェインについては、１００ｍＬ三角フラスコ内に各吸着材料を２５ｍｇずつ秤量し投入した。ヘマトポルフィリンについては、１００ｍＬ三角フラスコ内に各吸着材料を１００ｍｇずつ秤量し投入した。この三角フラスコ内に、測定対象となる代用物質の試験液に応じ、代用物質の人工尿５０ｍＬを注入し、三角フラスコを６０分間振とうした。振とう後の溶液を０．４５μｍのメンブレンフィルターにより吸引濾過し個々の吸着材料の人工尿毎の濾液を得た。
無水カフェインについては、ＨＰＬＣ（株式会社島津製作所製，ＬＣ−２０ＡＤ）とカラムＣＡＰＣＥＬＬＰＡＫ  Ｃ１８  ＭＧ，φ３．０ｍｍ×１５０ｍｍ，５μｍ（資生堂製）を使用して測定した。ＨＰＬＣのピーク面積より濃度を算出した。
ヘマトポルフィリンについては、前出の分光光度計を使用して濾液の吸光度を測定し、当初の人工尿と比較して、その吸光度の減少量を吸着材料による吸着量とした。なお、一つの吸着材料について２回測定し（ｎ＝２）、算術平均を求めた。
【０１０３】
代用物質の人工尿の吸着率（％）も、「｛（試験液の当初濃度）−（濾過後の濾液の濃度）｝／（試験液の当初濃度）×１００」として求めた。結果は表４である。個々の吸着材料毎に、形態、原料由来、平均粒径（μｍ）、平均細孔直径（ｎｍ）、ＤＨプロット法による細孔容積（ＶD）（ｃｍ3／ｇ）、代用物質（カフェイン）吸着率（人工尿評価）（％）、代用物質（ヘマトポルフィリン）吸着率（人工尿評価）（％）、及び総合評価（Ａ、Ｂ、またはＦの３段階）を記した。総合評価に際し、２種類の代用物質の吸着率がいずれも６０％以上であった吸着材料を「Ａ」の評価とした。２種類の代用物質の吸着率のうち１種類が３０％ないし６０％の範囲であった吸着材料を「Ｂ」の評価とし、２種類の代用物質の吸着率のうち１種類が３０％未満であった吸着材料を「Ｆ」の評価とした。
【０１０４】
【表２】
2018126316.tif 000006
【０１０５】
【表３】
2018126316.tif 000007
【０１０６】
【表４】
2018126316.tif 000008
【０１０７】
〈吸着率の考察（試験液）〉
合成ゼオライトは、当該実験系においてはほとんど吸着効果を発揮しなかった。対比から活性炭の優位性が明白となった。そこで、吸着活性炭１ないし８について見ると、総じてカフェインに代表される低分子量の分子の吸着は良好である。しかしながら、キニーネ、ヘマトポルフィリンのように分子量が大きくなるにつれて吸着率は低下する。
【０１０８】
この点への対処を検討すると、一つ目に平均細孔直径の相違を挙げることができる。すなわち、吸着活性炭１ないし５は１．７ｎｍ以上の平均細孔直径である。しかし、吸着活性炭６ないし８は、１．７ｎｍ未満である。そうすると、平均細孔直径１．７ｎｍ以上は吸着性能評価の有力な区分指標となり得る。なお、平均細孔直径の上限は、当該物性測定の結果を鑑み、吸着活性炭１より概ね５ｎｍと考える。
【０１０９】
広範な分子量の分子の吸着効率の改善のため、二つ目にＤＨプロット法による細孔容積を加えることができる。すなわち、吸着活性炭１ないし５は０．０８ｃｍ3／ｇ以上の細孔容積（細孔直径１ないし１００ｎｍにおいて）である。しかし、吸着活性炭６ないし８は、０．０８ｃｍ3／ｇ未満である。そうすると、０．０８ｃｍ3／ｇ以上の細孔容積も、平均細孔径に加えて、吸着性能評価の有力な区分指標となり得る。なお、ＤＨプロット法による細孔容積の上限は、当該物性測定の結果を鑑み、吸着活性炭１より概ね２ｃｍ3／ｇと考える。
【０１１０】
この結果から、効率良く幅広い分子量の分子を吸着するためには活性炭が優れている。その活性炭においても、吸着対象の分子量にばらつきがある。そこで、平均細孔直径の指標、さらには、ＤＨプロット法による細孔容積（細孔直径１ないし１００ｎｍの範囲）の指標を加えて、活性炭の性能を選別することができる。そうすると、幅広い分子量の分子について、それらの吸着効率をいっそう高めることができる。
【０１１１】
〈吸着率の考察（人工尿）〉
表４の代用物質（カフェイン及びヘマトポルフィリン）の人工尿の結果を加味すると、イオン交換水の結果と人工尿の結果とは同様の傾向であることが確認できた。従って、実際に患者から排泄される尿中の薬剤分子の吸着に活性炭は効果を発揮する有力な証拠となる。また、吸着活性炭８とそれ以外の結果から、ＤＨプロット法による細孔容積の指標の影響も、同様に確認することができた。
【０１１２】
［抗がん剤使用による性能評価，選択］
前述の代用物質を用いた際の性能評価及び人工尿による評価の結果を受けて、実際に吸着材料による抗がん剤の吸着性能を検証した。抗がん剤として、５−フルオロウラシル（協和発酵キリン株式会社製，５−ＦＵ注２５０ｍｇ）、シクロフォスファミド（塩野義製薬株式会社製，注射用エンドキサン（登録商標）５００ｍｇ）、メトトレキセート（ファイザー株式会社製，メソトレキセート（登録商標）点滴静注液２００ｍｇ）の３種類を用意した。抗がん剤の濃度調製に際し、５−フルオロウラシルは１ｍｇ／ｍＬ、シクロフォスファミドは１ｍｇ／ｍＬ、メトトレキセートは１ｍｇ／ｍＬの濃度の試験液とした。
【０１１３】
〈抗がん剤吸着試験・評価方法〉
前出の「吸着活性炭１（木質系）」、「吸着活性炭３（ヤシ殻）」、及び「合成ゼオライト」を吸着材料とした。各吸着材料を１．２５ｇずつ秤量し１００ｍＬ三角フラスコ内に投入した。この三角フラスコ内に、５−フルオロウラシル水溶液５０ｍＬ、シクロフォスファミド水溶液５０ｍＬ、またはメトトレキセート水溶液５０ｍＬの試験液を注入した。１回の吸着測定に際し、三角フラスコに入る抗がん剤の試験液は１種類とした。つまり、一度に三角フラスコに２種類の抗がん剤が入ることはない。
【０１１４】
吸着材料（１．２５ｇ）入りの三角フラスコ（１００ｍＬ）内に抗がん剤の試験液を５０ｍＬ注入後、三角フラスコを６０分間振とうした。振とう後の溶液を０．４５μｍのメンブレンフィルターにより吸引濾過し個々の吸着材料の試験液毎の濾液を得た。次に、濾液をＨＰＬＣ（株式会社日立ハイテクノロジーズ製，Ｌ−２０００シリーズ）により測定した。前記の３種類の抗がん剤の分析には、Ｓｈｏｄｅｘ（登録商標）  Ｃ１８Ｐ４Ｅ，膜厚５μｍ，内径４．６ｍｍ，長さ２５０ｍｍのカラム（昭和電工株式会社製）を使用した。併せて、吸着材料を投入せず、抗がん剤の試験液を注入したのみの例を対照群（ブランク）とし、当該対照群のＨＰＬＣ分析時のピーク面積を１００％と規定した。続いて、各試料のピーク面積を算出するとともに、その面積比から各試料の抗がん剤の濃度を算出した。なお、一つの試料につき５回測定し算術平均とした。
【０１１５】
吸着率（％）は、「｛（吸着材料を投入しなかった際の溶液濃度）−（吸着材料を投入して吸着が行われた後の溶液濃度）｝／（吸着材料を投入しなかった際の溶液濃度）×１００」として求めた。結果は表５である。個々の吸着材料毎に、形態、原料由来、平均粒子径（μｍ）、平均細孔直径（ｎｍ）、ＤＨプロット法による細孔容積（ＶD）（ｃｍ3／ｇ）、５−フルオロウラシル吸着率（％）、シクロフォスファミド吸着率（％）、メトトレキセート吸着率（％）、及び総合評価（Ａ、Ｂ、またはＦの３段階）を記した。総合評価に際し、３種類の抗がん剤の吸着率がいずれも５０％以上であった吸着材料を「Ａ」の評価とした。３種類の抗がん剤の吸着率が２種類で５０％以上であった吸着材料を「Ｂ」の評価とし、３種類の抗がん剤の吸着率が２種類で５０％未満であった吸着材料を「Ｆ」の評価とした。
【０１１６】
【表５】
2018126316.tif 000009
【０１１７】
〈抗がん剤使用による吸着率の考察〉
抗がん剤使用による性能評価の結果、合成ゼオライトについては代用物質の評価と同様にほとんど吸着効果を発揮しなかった。これに対し、活性炭の例では、いずれの抗がん剤についても良好な吸着効果を確認した。ここで、使用した抗がん剤は異なる分子量の３種類である。各抗がん剤についても活性炭は十分に吸着性能を発揮した。従って、活性炭による抗がん剤の吸着効果は極めて高い。また、代用物質による評価との相関性も確認することができた。
【０１１８】
［抗がん剤含有尿吸着シート体の作製］
薬剤含有尿透過部及び薬剤含有尿吸収層部に組み込む吸着活性炭の性能評価結果を踏まえ、発明者らは抗がん剤含有尿吸着シート体を６種類作製した（実施例シート体１ないし５、及び比較例シート体１）。当該作製において、実施例シート体１，２は図２の第２実施形態の構造を採用した。実施例シート体１，２の薬剤含有尿吸収層部は、吸着活性炭を含有する活性炭含有シート状部材、水膨潤性樹脂部材、繊維状吸液シート部材の順に積層形成した。
【０１１９】
実施例シート体３，４，５は図１の第１実施形態の構造を採用した。実施例シート体３，４，５の薬剤含有尿吸収層部は、吸着活性炭を含有する活性炭含有シート状部材、繊維状吸液シート部材の順に積層形成した。比較例シート体１は薬剤含有尿吸収層部を活性炭含有シート状部材のみとした。
【０１２０】
〈実施例シート体１の作製〉
シート体１の作製に際し、活性炭含有シート状部材の吸着活性炭に、前記の吸着活性炭３を採用した。吸着活性炭３と針葉樹パルプ破砕物を水槽に投入して攪拌し、スラリー状物とした。このスラリー状物を抄紙の要領によりシート状に仕上げて乾燥した（活性炭含有シート状部材の作製）。出来上がった活性炭含有シート状部材は目付量２５ｇ／ｍ2、吸着活性炭の含有量は３０％であった。この活性炭含有シート状部材の下層側に、水膨潤性樹脂部材としてアクリル酸重合体部分ナトリウム塩架橋物（住友精化株式会社製）の粒状物を置き、さらにその下層側に繊維状吸液シート部材に粉砕パルプ（Ｗｅｙｅｒｈａｅｕｓｅｒ  Ｃｏｍｐａｎｙ製，目付量１２０ｇ／ｍ2）を設置した。こうして３種の部材を積層して薬剤含有尿吸収層部を仮作製した。
【０１２１】
薬剤含有尿透過部に前記の布状部材４を使用した。仮作製した薬剤含有尿吸収層部の上側に布状部材４の不織布を置き、これらの部材をエンボスローラ内に通して圧縮し（エンボス加工及びホットメルト接着）、各層の部材を貼り合せた。エンボス加工時の模様は間隔を設けた平行縦縞状とした。こうして出来上がった薬剤含有尿透過部及び薬剤含有尿吸収層部の一体化物の下側（薬剤含有尿吸収層部の下側）に、透過防止部となるポリエチレン製の合成樹脂シート（福助工業株式会社製，厚さ２０μｍ）を置き、互いを接着剤（ヘンケルジャパン株式会社製）で接着固定した。接着剤の塗布も間隔を設けた平行縦縞状とした。なお、薬剤含有尿透過部及び透過防止部は、薬剤含有尿吸収層部を覆う必要から、少なくとも１ｃｍ以上四方を大きくした。当該作製における抗がん剤含有尿吸着シート体は図３の写真であり、約５９ｃｍ×４４ｃｍ、任意の５点を測定したときの平均厚さは約１．２ｍｍであった。シート体の厚さは、株式会社ミツトヨ製，定圧ノギス「ＡＢＳデジマチック定圧キャリパＮＴＤ２５−２０ＣＸ」を使用し測定した。透過防止部の合成樹脂シートの裏面に滑り止め部となる両面テープを貼着した。図３の上段は当該シート体の一部を裏返した全体写真であり、下段は両面テープの貼着箇所の拡大写真である。なお、定圧ノギスによる測定であるため、シート体は圧縮された厚さとなる。したがって、測定値は見かけの厚さよりも薄い数値となる。
【０１２２】
〈実施例シート体２の作製〉
実施例シート体２の作製に際し、前記の実施例シート体１に使用した繊維状吸液シート部材を目付量６０ｇ／ｍ2に変更した。その他の材料、製法は全て同一として作製した。大きさは実施例シート体１と同様であり、任意の５点を測定したときの平均厚さは約０．８ｍｍであった。
【０１２３】
〈実施例シート体３の作製〉
実施例シート体３の作製に際し、前記の実施例シート体１に使用した水膨潤性樹脂部材を省略した。また、前記のシート体１に使用した繊維状吸液シート部材を目付量６０ｇ／ｍ2に変更した。その他の材料、製法は全て同一として作製した。大きさは実施例シート体１と同様であり、任意の５点を測定したときの平均厚さは約０．７ｍｍであった。
【０１２４】
〈実施例シート体４，５の作製〉
実施例シート体４の作製に際し、前記の実施例シート体３に使用した繊維状吸液シート部材を目付量２０ｇ／ｍ2に変更した。その他の材料、製法は全て同一として作製した。大きさは実施例シート体１と同様とした。
実施例シート体５の作製に際し、前記の実施例シート体３に使用した繊維状吸液シート部材を目付量１０ｇ／ｍ2に変更した。その他の材料、製法は全て同一として作製した。大きさは実施例シート体１と同様とした。
実施例シート体４及び５について、任意の５点を測定したときの平均厚さはともに約０．４ｍｍであった。
【０１２５】
〈比較例シート体１の作製〉
比較例シート体１の作製に際し、前記の実施例シート体１に使用した水膨潤性樹脂部材及び繊維状吸液シート部材を省略した。その他の材料、製法は全て同一として作製した。大きさは実施例シート体１と同様であり、任意の５点を測定したときの平均厚さは約０．２ｍｍであった。
【０１２６】
［吸水性試験］
最大吸水速度（ｍＬ／ｓ）及び飽和吸水量（Ｌ／ｍ2）の測定には、インテック株式会社製，自動吸水測定装置（ラローズ法）「ＩＴ−ＡＬ」を使用した。そして、ＪＩＳ  Ｌ  １９０７（２０１０）繊維製品の吸水性試験方法の７．３表面吸水法に準拠して実施例シート体１ないし５と比較例シート体１の最大吸水速度（ｍＬ／ｓ）及び飽和吸水量（Ｌ／ｍ2）を測定した。測定に際し、各シート体を直径６０ｍｍの円盤状に切り出して試験片とした。試験片の薬剤含有尿透過部側を測定装置の吸水面側にして測定装置に設置した。当該規格に準拠し、吸水量及び吸水時間から最大吸収速度を求めた。また、吸水速度の変化が無くなった時点の吸水量を飽和吸水量とした。なお、装置の性能上、飽和吸水量は３．５０Ｌ／ｍ2である。
【０１２７】
各シート体について５品（ｎ＝５）測定を行い、単純平均とした。結果は表６及び７である。総合評価に際し、最大吸水速度が０．０５ｍＬ／ｓ以上、かつ、飽和吸水量０．２０ｇ／ｍ2以上を「Ａ」の良評価とした。少なくともいずれかを満たさない場合には使用に向かないとする「Ｆ」の評価と判断した。
【０１２８】
【表６】
2018126316.tif 000010
【０１２９】
【表７】
2018126316.tif 000011
【０１３０】
〈吸水試験の結果と考察〉
抗がん剤含有尿吸着シート体の吸収対象は患者から排泄された尿であり、便器周囲の飛散物に加え、便器の周辺の床等に漏洩した尿も含まれる。そうすると、抗がん剤含有尿吸着シート体の尿の吸収能力は高いほど好ましい。この観点から表６及び７を見ると、実施例シート体１ないし５は何れも良好な吸水性能を示した。実施例シート体の吸水性能の相違は、水膨潤性樹脂の有無、繊維状吸尿シート部材の目付量に起因する。実施例シート部材４の繊維状吸尿シート部材の目付量は１０ｇ／ｍ2であっても所定の水準を満たしている。従って、繊維状吸尿シート部材の目付量１０ｇ／ｍ2は下限値といえる。特に、実施例シート体１，２については、非常に高性能であった。この点から、水膨潤性樹脂部材を薬剤含有尿吸収層部に加えることは、尿吸収の点から好ましい。なお、実施例シート体１，２３と、実施例シート体４，５との使い分けは、患者の人数等の処理能力による。また、比較例シート体１より、繊維状吸尿シート部材まで省略してしまうと、吸水能力は低下する。この場合、実際の使用環境、配置場所等を想定すると、やや能力不足となる。
【０１３１】
［抗がん剤の吸着試験］
発明者らは、作製した３種類の抗がん剤含有尿吸着シート体（実施例シート体１，３，及び比較例シート体２）について現在化学療法の臨床にて処方されている代表的な抗がん剤を使用して吸着能力を測定した。試験に供した抗がん剤の薬剤分子は、シクロフォスファミド（塩野義製薬株式会社製，注射用エンドキサン（登録商標）５００ｍｇ）、メトトレキセート（ファイザー株式会社製，メソトレキセート（登録商標）点滴静注液２００ｍｇ）、及びパクリタキセル（ブリストル・マイヤーズ株式会社製，タキソール（登録商標）注射液３０ｍｇ）の分子量の異なる３種類とした。
【０１３２】
「比較例シート体２」の作製に際し、前記の実施例シート体１より吸着活性炭１を含有する活性炭含有シート状部材を省略するとともに、繊維状吸液シート部材を目付量６０ｇ／ｍ2に変更した。その他の材料、製法は全て同一として作製した。大きさは実施例シート体１と同様であり、任意の５点を測定したときの平均厚さは約０．８ｍｍであった。
【０１３３】
抗がん剤の濃度調製に際し、シクロフォスファミドは２０ｍｇ／ｍＬ、メトトレキセートは６ｍｇ／ｍＬ、パクリタキセルは０．２ｍｇ／ｍＬの濃度に前出のＪＩＳ  Ｔ  ３２１４（２０１１）に準拠して調製した人工尿を用いて希釈した。抗がん剤の滴下量は、各抗がん剤の最大投与量と尿中未変化対排泄率から算出した。また、最大投与量は日本人の平均体重から算出し、尿中未変化対排泄率はインタビューフォーム等を参考にした。各抗がん剤の人工尿希釈液について、抗がん剤含有尿吸着シート体の薬剤含有尿透過部上に１ｍＬ滴下した。体重約６０ｋｇの人間が樹脂製底面（非浸透）のスリッパを履いて滴下直後の各抗がん剤の人工尿希釈液を１０秒間踏みつけた。
【０１３４】
抗がん剤含有尿吸着シート体使用の対照群として、抗がん剤含有尿吸着シート体を使用する代わりに、平滑なステンレス鋼板上に各抗がん剤の人工尿希釈液を同条件下で滴下し、同様にスリッパを履いて１０秒間踏みつけた。
【０１３５】
その後、抗がん剤含有尿吸着シート体から降りて、スリッパの裏面（抗がん剤の人工尿希釈液との接触面）を脱脂綿と５ｍＬの精製水により拭き取った。脱脂綿と精製水を回収し、遠心分離により上澄み液を分取した。上澄み液をＨＰＬＣ（株式会社日立ハイテクノロジーズ製，Ｌ−２０００シリーズ）により測定した。前記の３種類の抗がん剤の分析には、Ｓｈｏｄｅｘ（登録商標）  Ｃ１８Ｐ４Ｅ，膜厚５μｍ，内径４．６ｍｍ，長さ２５０ｍｍのカラム（昭和電工株式会社製）を使用した。
【０１３６】
対照群（ステンレス鋼板上に滴下）のＨＰＬＣ分析時のピーク面積を１００％と規定した。続いて、各試料のピーク面積を算出するとともに、その面積比から各試料の抗がん剤の濃度を算出した。こうして、実施例シート体１，３及び比較例シート体２について、３種類の抗がん剤の相対的な吸着率（％）を求めた。なお、吸着率は一つの試料につき５回測定し算術平均とした。
【０１３７】
〈吸着率の結果〉
吸着率の結果は、表８となった。実施例シート体１，３及び比較例シート体２について、それぞれの材質と、シクロフォスファミド、メトトレキセート、及びパクリタキセルの３種類の抗がん剤の相対的な吸着率（％）を記した。さらに、総合評価として、何れの抗がん剤の吸着率がともに９０％以上の試料については「Ａ」の総合評価とした。評価に用いた抗がん剤の内、一種類でも９０％未満となった試料については「Ｆ」の評価とした。
【０１３８】
【表８】
2018126316.tif 000012
【０１３９】
〈吸着率の考察〉
実施例シート体１，３について「Ａ」の総合評価を得ることができた。特に、試験に用いたシクロフォスファミドからパクリタキセルまでの幅広い範囲の分子量の抗がん剤の薬剤分子について極めて良好に抗がん剤の薬剤分子をほぼ全量吸着したとみなすことができる。さらに、個別に結果を見ると、実施例シート体１は、薬剤含有尿吸収層部に水膨潤製樹脂部材を備えていることから、薬剤含有尿の吸収性能を高めている。おそらく、全体的な吸収性能の向上に起因して、実施例シート体３よりも抗がん剤の薬剤分子の吸着率が上昇したと推察する。吸着活性炭を具備しない比較例シート体２では、低分子量の薬剤分子の吸着が大きく低下した。従って、広範な薬剤分子に対応するためには、吸着活性炭は必須である。以上をふまえると、抗がん剤含有尿吸着シート体は、代用物質を用いた吸着活性炭の性能評価の結果、並びに活性炭自体の抗がん剤吸着の結果のとおり、広範な範囲の分子量の抗がん剤の薬剤分子の吸着に対応可能であることを裏付けた。
【０１４０】
従って、抗がん剤含有尿吸着シート体は、便器周囲への設置に好適であり、患者、医療関係者、清掃作業者の安全性確保に役立つ。特に、抗がん剤の薬剤分子の吸着性能は極めて良好であることから、尿を介しての二次汚染対策にも有効である。加えて、構成材料は比較的安価であり、大きな金銭負担なく現場へ導入可能である。図４は病棟内の便器（男性用の小便器）の周囲に抗がん剤含有尿吸着シート体を配置した際の写真である。特に、便器の下方の床面に敷設した使用状況である。抗がん剤含有尿吸着シート体自体の厚さは５ｍｍ以下であるため、便器周りでの患者等の転倒のおそれも少なくなると予想される。
【産業上の利用可能性】
【０１４１】
本発明の抗がん剤含有尿吸着シート体は、既存の吸水シート等よりも、抗がん剤の薬剤分子の吸着に特化して高い吸着性能を備える。そこで、抗がん剤等の毒性の高い薬剤を含有した尿を吸収するとともに、その尿中に含有される薬剤を吸着して患者、医療従事者、病院関係者等の安全性を向上した病院内の二次曝露対策に有効な資材となる。
【符号の説明】
【０１４２】
１Ａ，１Ｂ  抗がん剤含有尿吸着シート体
１Ｓ  尿吸収シート体
１０ａ，１０ｂ  薬剤含有尿吸収層部
１１  活性炭含有シート状部材
１２  繊維状吸液シート部材
１３  水膨潤性樹脂部材
１８  薬剤含有尿吸収層部の第１面
１９  薬剤含有尿吸収層部の第２面
２０  薬剤含有尿透過部
３０  透過防止部
４０  縁部
５０  滑り止め部
５１  粘着部
【図１】
2018126316.tif 000013
【図２】
2018126316.tif 000014
【図３】
2018126316.tif 000015
【図４】
2018126316.tif 000016